(57)【要約】【課題】隣接する放電セル間での誤放電を抑制しつつ、輝度の向上が可能であるプラズマディスプレイパネルを実現することを目的とする。【解決手段】前面板２１は、走査電極２４と維持電極２５とからなる表示電極２６と、それを覆う誘電体層２７と、その上に設けた井桁状をなす突出部２７ａ、２７ｂとを備え、背面板２２は、表示電極２６と直交するアドレス電極３０と、行方向と列方向とで高さが等しい井桁状をなす隔壁３２ａ、３２ｂとを備え、前面板２１と背面板２２とは、突出部２７ａ、２７ｂと隔壁３２ａ、３２ｂとを当接させて対向配置することで、前面板２１と背面板２２との間に、突出部２７ａ、２７ｂと隔壁３２ａ、３２ｂとにより仕切られた放電セルを形成し、放電セルにおいては、突出部２７ａ、２７ｂによる開口が、隔壁３２ａ、３２ｂによる開口よりも小さいプラズマディスプレイパネルである。【選択図】図１
2005123061.tif 000002
【特許請求の範囲】
【請求項１】
前面板と背面板とを有するプラズマディスプレイパネルにおいて、前面板は、走査電極と維持電極とからなる表示電極と、それを覆う誘電体層と、その上に設けた井桁状をなす突出部とを備え、背面板は、表示電極と直交するアドレス電極と、行方向と列方向とで高さが等しい井桁状をなす隔壁とを備え、前面板と背面板とは、井桁状をなす突出部と井桁状をなす隔壁とを当接させて対向配置することで、前面板と背面板との間に、前記突出部と前記隔壁とにより仕切られた放電セルを形成し、放電セルにおいては、井桁状をなす突出部による前面板側の開口が、井桁状をなす隔壁による背面板側の開口よりも小さいことを特徴とするプラズマディスプレイパネル。
【請求項２】
前面板と背面板とを有するプラズマディスプレイパネルにおいて、前面板は、走査電極と維持電極とからなる表示電極と、それを覆う誘電体層と、その上に設けた井桁状をなす突出部とを備え、背面板は、表示電極と直交するアドレス電極と、行方向と列方向とで高さが異なる井桁状をなす隔壁とを備え、前面板と背面板とは、井桁状をなす突出部と井桁状をなす隔壁とを当接させて対向配置することで、前面板と背面板との間に、前記突出部と前記隔壁とにより仕切られた放電セルを形成し、放電セルにおいては、井桁状をなす突出部による前面板側の開口が、井桁状をなす隔壁による背面板側の開口よりも小さいことを特徴とするプラズマディスプレイパネル。
【請求項３】
井桁状をなす突出部による前面板側の開口と、井桁状をなす隔壁による背面板側の開口との大きさの差が１００μｍ以下であることを特徴とする請求項１または２に記載のプラズマディスプレイパネル。
【請求項４】
井桁状をなす突出部および／または井桁状をなす隔壁は、その当接部において凹部を有することを特徴とする請求項１から３のいずれかに記載のプラズマディスプレイパネル。
【請求項５】
井桁状をなす突出部の頂部の幅が、井桁状をなす隔壁の頂部の幅よりも広いことを特徴とする請求項１から４のいずれかに記載のプラズマディスプレイパネル。
【請求項６】
井桁状をなす突出部が、誘電体材料により構成されていることを特徴とする請求項１から５のいずれかに記載のプラズマディスプレイパネル。
【請求項７】
井桁状をなす突出部は、少なくともその一部が、ブラックストライプを兼ねていることを特徴とする請求項１から６のいずれかに記載のプラズマディスプレイパネル。
【発明の詳細な説明】
【技術分野】
【０００１】
本発明は表示デバイスとして知られているプラズマディスプレイパネルに関するものである。
【背景技術】
【０００２】
近年、双方向情報端末として大画面、壁掛けテレビへの期待が高まっている。そのための表示デバイスとして、液晶表示パネル、フィールドエミッションディスプレイ、エレクトロルミネッセンスディスプレイ等の数多くのものがあり、そのうちの一部は市販され、一部は開発中である。これらの表示デバイス中でもプラズマディスプレイパネル（ＰＤＰ）は、自発光型で美しい画像表示ができ、大画面化が容易である等の理由から、ＰＤＰを用いたディスプレイは、視認性に優れた薄型表示デバイスとして注目されており、高精細化および大画面化が進められている。
【０００３】
このＰＤＰには、大別して、駆動的にはＡＣ型とＤＣ型があり、放電形式では面放電型と対向放電型の２種類があるが、高精細化、大画面化および製造の簡便性から、現状では、ＡＣ型で面放電型のＰＤＰが主流を占めるようになってきている。
【０００４】
図１１にＰＤＰのパネル構造の一例を示しており、この図１１に示すようにＰＤＰは、前面板１と背面板２とから構成されている。
【０００５】
前面板１は、フロート法による硼珪素ナトリウム系ガラス等からなるガラス基板などの透明な前面側の基板３上に、走査電極４と維持電極５とで対をなすストライプ状の表示電極６を複数対配列して形成し、そしてその表示電極６群を覆うように誘電体層７を形成し、その誘電体層７上にＭｇＯからなる保護膜８を形成することにより構成されている。なお、走査電極４および維持電極５は、それぞれ透明電極４ａ、５ａおよびこの透明電極４ａ、５ａに電気的に接続されたＣｒ／Ｃｕ／ＣｒまたはＡｇ等からなるバス電極４ｂ、５ｂとから構成されている。
【０００６】
また、背面板２は、前記前面側の基板３に対向配置される背面側の基板９上に、表示電極６と直交する方向にアドレス電極１０を形成するとともに、そのアドレス電極１０を覆うように誘電体層１１を形成し、そしてアドレス電極１０間の誘電体層１１上にアドレス電極１０と平行にストライプ状の複数の隔壁１２を形成するとともに、この隔壁１２間の側面および誘電体層１１の表面に蛍光体層１３を形成することにより構成されている。なお、カラー表示のために前記蛍光体層１３は、通常、赤、緑、青の３色が順に配置されている。
【０００７】
そして、これらの前面板１と背面板２とは、表示電極６とアドレス電極１０とが直交するように、微小な放電空間を挟んで基板３、９を対向配置するとともに、周囲を封着部材により封止し、そして前記放電空間にネオン及びキセノンなどを混合してなる放電ガスを６６５００Ｐａ（５００Ｔｏｒｒ）程度の圧力で封入することによりパネルが構成されている。
【０００８】
このパネルの放電空間は、隔壁１２によって複数の区画に仕切られており、そしてこの隔壁１２間に単位発光領域となる複数の放電セル１４が形成されるように表示電極６が設けられるとともに、表示電極６とアドレス電極１０とが直交して配置されている。
【０００９】
このＰＤＰでは、アドレス電極１０、表示電極６に印加される周期的な電圧によって放電を発生させ、この放電による紫外線を蛍光体層１３に照射して可視光に変換させることにより、画像表示が行われる（非特許文献１）。
【非特許文献１】内池平樹、御子柴茂生共著、「プラズマディスプレイのすべて」（株）工業調査会、１９９７年５月１日、ｐ７９−ｐ８０
【発明の開示】
【発明が解決しようとする課題】
【００１０】
このＰＤＰの発展のためには、更なる高輝度化、高効率化、低消費電力化、低コスト化が不可欠となっている。例えば、図１１に示した構成において高輝度化を達成するためには、隣接する表示電極６の間の距離を狭くし、表示電極を構成する走査電極４と維持電極５との間の距離を広げることで、放電の領域を広くすることが有効であるが、この場合、隣接する放電セル１４間での誤放電が増加してしまうという問題が生じる場合がある。
【００１１】
本発明はこのような課題を解決するためになされたもので、隣接する放電セル間での誤放電を抑制しつつ、輝度の向上が可能であるプラズマディスプレイパネルを実現することを目的とする。
【課題を解決するための手段】
【００１２】
この目的を達成するために本発明のプラズマディスプレイパネルは、前面板と背面板とを有するプラズマディスプレイパネルにおいて、前面板は、走査電極と維持電極とからなる表示電極と、それを覆う誘電体層と、その上に設けた井桁状をなす突出部とを備え、背面板は、表示電極と直交するアドレス電極と、行方向と列方向とで高さが等しい井桁状をなす隔壁とを備え、前面板と背面板とは、井桁状をなす突出部と井桁状をなす隔壁とを当接させて対向配置することで、前面板と背面板との間に、前記突出部と前記隔壁とにより仕切られた放電セルを形成し、放電セルにおいては、井桁状をなす突出部による前面板側の開口が、井桁状をなす隔壁による背面板側の開口よりも小さいことを特徴とするものである。
【００１３】
また、この目的を達成するために本発明のプラズマディスプレイパネルは、前面板と背面板とを有するプラズマディスプレイパネルにおいて、前面板は、走査電極と維持電極とからなる表示電極と、それを覆う誘電体層と、その上に設けた井桁状をなす突出部とを備え、背面板は、表示電極と直交するアドレス電極と、行方向と列方向とで高さが異なる井桁状をなす隔壁とを備え、前面板と背面板とは、井桁状をなす突出部と井桁状をなす隔壁とを当接させて対向配置することで、前面板と背面板との間に、前記突出部と前記隔壁とにより仕切られた放電セルを形成し、放電セルにおいては、井桁状をなす突出部による前面板側の開口が、井桁状をなす隔壁による背面板側の開口よりも小さいことを特徴とするものである。
【発明の効果】
【００１４】
本発明のプラズマディスプレイパネルは、隣接する放電セル間での誤放電を抑制しつつ、輝度の向上が可能である。
【発明を実施するための最良の形態】
【００１５】
すなわち、本発明の請求項１に記載の発明は、前面板と背面板とを有するプラズマディスプレイパネルにおいて、前面板は、走査電極と維持電極とからなる表示電極と、それを覆う誘電体層と、その上に設けた井桁状をなす突出部とを備え、背面板は、表示電極と直交するアドレス電極と、行方向と列方向とで高さが等しい井桁状をなす隔壁とを備え、前面板と背面板とは、井桁状をなす突出部と井桁状をなす隔壁とを当接させて対向配置することで、前面板と背面板との間に、前記突出部と前記隔壁とにより仕切られた放電セルを形成し、放電セルにおいては、井桁状をなす突出部による前面板側の開口が、井桁状をなす隔壁による背面板側の開口よりも小さいことを特徴とするプラズマディスプレイパネルである。
【００１６】
また、請求項２に記載の発明は、前面板と背面板とを有するプラズマディスプレイパネルにおいて、前面板は、走査電極と維持電極とからなる表示電極と、それを覆う誘電体層と、その上に設けた井桁状をなす突出部とを備え、背面板は、表示電極と直交するアドレス電極と、行方向と列方向とで高さが異なる井桁状をなす隔壁とを備え、前面板と背面板とは、井桁状をなす突出部と井桁状をなす隔壁とを当接させて対向配置することで、前面板と背面板との間に、前記突出部と前記隔壁とにより仕切られた放電セルを形成し、放電セルにおいては、井桁状をなす突出部による前面板側の開口が、井桁状をなす隔壁による背面板側の開口よりも小さいことを特徴とするプラズマディスプレイパネルである。
【００１７】
また、請求項３に記載の発明は、請求項１または２に記載の発明において、井桁状をなす突出部による前面板側の開口と、井桁状をなす隔壁による背面板側の開口との大きさの差が１００μｍ以下であることを特徴とするものである。
【００１８】
また、請求項４に記載の発明は、請求項１から３のいずれかに記載の発明において、井桁状をなす突出部および／または井桁状をなす隔壁は、その当接部において凹部を有することを特徴とするものである。
【００１９】
また、請求項５に記載の発明は、請求項１から４のいずれかに記載の発明において、井桁状をなす突出部の頂部の幅が、井桁状をなす隔壁の頂部の幅よりも広いことを特徴とするものである。
【００２０】
また、請求項６に記載の発明は、請求項１から５のいずれかに記載の発明において、井桁状をなす突出部が、誘電体材料により構成されていることを特徴とするものである。
【００２１】
また、請求項７に記載の発明は、請求項１から６のいずれかに記載の発明において、井桁状をなす突出部は、少なくともその一部が、ブラックストライプを兼ねていることを特徴とするものである。
【００２２】
以下、本発明の一実施の形態によるプラズマディスプレイパネルについて説明する。
【００２３】
図１は、本発明の一実施の形態によるプラズマディスプレイパネルの概略構成を示す断面斜視図である。
【００２４】
図１に示すように、ＰＤＰは、前面板２１と背面板２２とから構成されている。
【００２５】
前面板２１は、フロート法による硼珪素ナトリウム系ガラス等からなるガラス基板などの透明な前面側の基板２３上に、走査電極２４と維持電極２５とで対をなすストライプ状の表示電極２６を複数対配列して形成し、そしてその表示電極２６群を覆うように誘電体層２７を形成し、その誘電体層２７上にＭｇＯからなる保護膜２８を形成することにより構成されている。なお、走査電極２４および維持電極２５は、それぞれ透明電極２４ａ、２５ａ、およびこの透明電極２４ａ、２５ａに電気的に接続されたＣｒ／Ｃｕ／ＣｒまたはＡｇ等からなるバス電極２４ｂ、２５ｂとから構成されている。また、誘電体層２７は、その上に行方向と列方向とにそれぞれ突出部２７ａ、２７ｂを有しており井桁状をなしている。ここで、行方向の突出部２７ａと列方向の突出部２７ｂは高さが等しいものである。
【００２６】
また、背面板２２は、基板２３に対向配置される背面側の基板２９上に、表示電極２６と直交する方向にアドレス電極３０を形成するとともに、そのアドレス電極３０を覆うように誘電体層３１を形成し、そして誘電体層３１上に隔壁３２を形成しており、隔壁３２の形状は、行方向の隔壁３２ａと列方向の隔壁３２ｂとでは高さが等しく井桁状をなしている。そして、この隔壁３２間の側面および誘電体層３１の表面には蛍光体層３３を形成している。なお、カラー表示のために前記蛍光体層３３は、通常、赤、緑、青の３色が順に配置されている。
【００２７】
そして、以上の前面板２１と背面板２２とを、表示電極２６とアドレス電極３０とが直交し、内部に微小な放電空間を形成するように、井桁状をなす突出部２７ａ、２７ｂと、同じく井桁状をなす隔壁３２ａ、３２ｂとを当接させた状態で対向配置するとともに、周囲を封着部材により封止し、そして前記放電空間にネオン及びキセノンなどを混合してなる放電ガスを６６５００Ｐａ（５００Ｔｏｒｒ）程度の圧力で封入することによりＰＤＰを構成している。
【００２８】
以上のように、このＰＤＰの放電空間は、当接する、突出部２７ａ、２７ｂと隔壁３２ａ、３２ｂとにより複数の区画に仕切られており、そして、この仕切られた放電空間において、表示電極２６とアドレス電極３０とが直交して配置されることで、単位発光領域となる複数の放電セルが形成される。そして、このＰＤＰでは、アドレス電極３０、表示電極２６に印加する周期的な電圧によって放電を発生させ、この放電による紫外線を蛍光体層３３に照射して可視光に変換させることにより、画像表示を行う。
【００２９】
図２に、本発明の一実施の形態によるＰＤＰの画像表示部における隔壁３２ａ、３２ｂと表示電極２６との位置関係の概略を平面図で示す。走査電極２４と維持電極２５は、図２に示すように、マトリクス表示の各ラインにおいて放電ギャップ３４を挟んで隣接するように列方向に交互に配列されている。ここで、行方向の隔壁３２ａと列方向の隔壁３２ｂとで囲まれた領域が単位発光領域である放電セル３５となる。また、非発光領域３６には、コントラストを向上させる目的でブラックストライプ（不図示）を形成することがある。
【００３０】
また、図２中での、Ａ−Ａ矢視断面図、Ｂ−Ｂ矢視断面図、Ｃ−Ｃ矢視断面図、Ｄ−Ｄ矢視断面図をそれぞれ、図３、図４、図５、図６に示す。
【００３１】
以上説明した本発明の一実施の形態によるＰＤＰにおいて特徴的な点は、放電セル３５は、当接した、井桁状をなす突出部２７ａ、２７ｂと、同じく井桁状をなす隔壁３２ａ、３２ｂとにより仕切られた構造を有し、且つ、井桁状をなす突出部２７ａ、２７ｂによる開口が、同じく井桁状をなす隔壁３２ａ、３２ｂによる開口よりも小さいことである。
【００３２】
すなわち、高輝度化を達成するためには、隣接する表示電極２６の間の非発光領域３６の距離を狭くし、表示電極２６を構成する走査電極２４と維持電極２５との間の放電ギャップ３４の距離を広げることで、放電の領域を広くすることが有効であるが、この場合、従来の構造においては、隣接する放電セル間での誤放電が増加してしまうという問題が生じる場合があった。これは、放電セル内での放電により発生した荷電粒子が隣接する放電セルにまで移動してしまうことによるものと考えられるが、本実施の形態の構成においては、隣接する放電セル３５の間は、井桁状をなす突出部２７ａ、２７ｂと、同じく井桁状をなす隔壁３２ａ、３２ｂとが当接することで仕切られており、このことにより、荷電粒子の移動が妨げられることとなるため、隣接する放電セル３５間での誤放電を大幅に抑制することが可能となる。
【００３３】
さらに、本実施の形態においては、各放電セル３５において、前面板２１側の井桁状をなす突出部２７ａ、２７ｂによる開口（例えば、図３中の距離Ａ）が、背面板２２側の井桁状をなす隔壁３２ａ、３２ｂによる開口（例えば、図３中の距離Ｂ）よりも小さいことを特徴としている。これは、放電（図３中のＣ）は、誘電体層２７上の井桁状をなす突出部２７ａ、２７ｂにより包囲された範囲に形成されるが、背面板２２の井桁状をなす隔壁３２ａ、３２ｂが前面板２１の井桁状をなす突出部２７ａ、２７ｂよりも内側になると、その部分での放電において、隔壁３２ａ、３２ｂの上面部からの影響により、例えば荷電粒子の消滅等の事態が発生し、このことにより、放電が有効に形成できなくなる場合があるため、このような問題の発生を抑制するためである。
【００３４】
ここで、理想的には誘電体層２７の上の井桁状をなす突出部２７ａ、２７ｂと、背面板２２の井桁状をなす隔壁３２ａ、３２ｂとは完全に重なった状態で当接することが好ましいが、前面板２１と背面板２２との対向配置時のアライメントのずれ等を考慮すると、各放電セル３５において、前面板２１側の井桁状をなす突出部２７ａ、２７ｂによる開口が、背面板２２側の井桁状をなす隔壁３２ａ、３２ｂによる開口よりも小さくなるように構成することが好ましい。
【００３５】
また、好ましくは、前面板２１側の井桁状をなす突出部２７ａ、２７ｂによる開口と、背面板２２側の井桁状をなす隔壁３２ａ、３２ｂによる開口との差が１００μｍ以下、好ましくは６０μｍ以下であることが好ましい。ここで、開口の差とは、図３中のＡとＢとの差をいうものである。これは、隔壁３２ａ、３２ｂによる開口に対して突出部２７ａ、２７ｂによる開口を小さくしすぎると、放電に寄与する面積が小さくなり輝度が低下するためである。なお、以上は図３に示した列方向を例に説明したが、行方向においても同様である。
【００３６】
また、突出部２７ａ、２７ｂの厚み（高さ）が薄い場合は、放電が突出部２７ａ、２７ｂの上部にまで広がってしまい、誤放電の抑制に十分な効果を発揮しない場合があるため、適当な高さとすることが好ましく、例えば、誘電体層２７の底面から５μｍ〜６０μｍ程度とすることが好ましい。例えば、誘電体層２７の厚みが３０μｍで、突出部２７ａ、２７ｂの厚みが２０μｍであれば、突出部２７ａ、２７ｂの誘電体層２７の底面からの厚みは５０μｍとなる。
【００３７】
また、本実施の形態において、図７、図８に示すように、井桁状をなす突出部２７ａ、２７ｂおよび／または井桁状をなす隔壁３２ａ、３２ｂは、その当接部において少なくとも一方に凹部を有することが好ましい。図７は行方向の突出部２７ａに凹部２７ｃを有する例であり、図８は行方向の隔壁３２ａに凹部３２ｃを有する例である。
【００３８】
すなわち、突出部２７ａ、２７ｂと隔壁３２ａ、３２ｂとの当接部においては、隔壁３２ａ、３２ｂおよび突出部２７ａ、２７ｂを構成する材料の誘電率が放電ガスの場合に比べて大きくなるため、その部分での無効電力が増大するが、図７や図８に示す構成では、当接部の一部が「放電ガス」により構成されることとなるため、無効電力が低下する。
【００３９】
なお、図７や図８に示した構成以外にも、列方向に凹部を有する構成や、行、列、両方の方向に凹部を有する構成、さらに、突出部２７ａ、２７ｂと隔壁３２ａ、３２ｂの両方に凹部を有する構成であっても構わない。
【００４０】
また、突出部２７ａ、２７ｂの頂部の幅が、隔壁３２ａ、３２ｂの頂部の幅よりも広いことが好ましい。これは、前述したように背面板２２の隔壁３２ａ、３２ｂの頂部が前面板２１の突出部２７ａ、２７ｂよりも放電セル３５の内側に突出した構成になると、その部分の放電が隔壁３２ａ、３２ｂの上部で発生することになり、放電が有効に形成できなくなる場合があるためである。また、理想的には、突出部２７ａ、２７ｂと隔壁３２ａ、３２ｂとは完全に重なって当接することが好ましいが、前面板２１と背面板２２との対向配置時のアライメント時のずれ等を考慮すると、突出部２７ａ、２７ｂの頂部の幅を広くすることが好ましい。
【００４１】
また、誘電体層２７上に形成される突出部２７ａを各放電セル３５の非発光領域３６に形成する場合はブラックストライプのように黒色のものでも良い。この場合は、突出部２７ａとブラックストライプを兼用できるため、製造における工程数の増加が発生せず、好ましい。
【００４２】
また、図９に、概略構成の断面斜視図を、図１０に、放電セルの行方向の断面図を示すように、行方向の隔壁３２ａと列方向の隔壁３２ｂとの高さが異なる井桁状に形成された場合も、上記と同様の効果が発揮できるとともに、放電セル３５を仕切る部分の一部に隙間が生じることからＰＤＰの製造時における放電セル３５内の排気および放電ガスの封入に際して有利である。また、同じ理由により、突出部２７ａ、２７ｂの高さが異なるように構成しても良い。
【産業上の利用可能性】
【００４３】
以上のように本発明は、隣接する放電セル間での誤放電を抑制しつつ、輝度の向上が可能なプラズマディスプレイパネルを提供できる。
【図面の簡単な説明】
【００４４】
【図１】本発明の一実施の形態によるプラズマディスプレイパネルの概略構成を示す断面斜視図
【図２】本発明の一実施の形態によるプラズマディスプレイパネルにおける隔壁と表示電極との位置関係を示す平面図
【図３】図２におけるＡ−Ａ矢視断面図
【図４】図２におけるＢ−Ｂ矢視断面図
【図５】図２におけるＣ−Ｃ矢視断面図
【図６】図２におけるＤ−Ｄ矢視断面図
【図７】本発明の他の実施の形態によるプラズマディスプレイパネルの概略構成を示す断面図
【図８】同じく、本発明の他の実施の形態によるプラズマディスプレイパネルの概略構成を示す断面図
【図９】同じく、本発明の他の実施の形態によるプラズマディスプレイパネルの概略構成を示す断面斜視図
【図１０】図９に示す構成における断面図
【図１１】従来のプラズマディスプレイパネルの概略構成を示す断面斜視図
【符号の説明】
【００４５】
２１  前面板
２２  背面板
２４  走査電極
２５  維持電極
２６  表示電極
２７  誘電体層
２７ａ  行方向の突出部
２７ｂ  列方向の突出部
３０  アドレス電極
３２  隔壁
３２ａ  行方向の隔壁
３２ｂ  列方向の隔壁
【図１】
2005123061.tif 000003
【図２】
2005123061.tif 000004
【図３】
2005123061.tif 000005
【図４】
2005123061.tif 000006
【図５】
2005123061.tif 000007
【図６】
2005123061.tif 000008
【図７】
2005123061.tif 000009
【図８】
2005123061.tif 000010
【図９】
2005123061.tif 000011
【図１０】
2005123061.tif 000012
【図１１】
2005123061.tif 000013